【手続補正書】
【提出日】平成17年11月24日(2005.11.24)
【手続補正１】
【補正対象書類名】明細書
【補正対象項目名】特許請求の範囲
【補正方法】変更
【補正の内容】
【特許請求の範囲】
【請求項１】
静電潜像を担持する静電潜像担持体と、この静電潜像担持体に磁性トナーを供給して前記静電潜像を現像する現像装置とを有する画像形成装置において、
前記現像装置は、磁性トナーを収容する現像容器と、現像容器の開口部に設けられ表面に磁性トナーを担持し静電潜像担持体に供給可能な二つの現像剤担持体と、一方の現像剤担持体の磁性トナーの担持量を規制して一方の現像剤担持体上に磁性トナーの層を形成する現像剤規制体と、を有し、
前記二つの現像剤担持体は、回転自在な現像スリーブと、この現像スリーブの円筒内側に固定して配置され複数の磁界を形成する磁界発生手段とをそれぞれ有し、二つの現像剤担持体の間に、他方の現像剤担持体から一方の現像剤担持体に向けて磁束密度が高まる領域が形成され、かつ前記二つの現像剤担持体の対向部において、前記一方の現像剤担持体が前記他方の現像剤担持体の磁性トナーの担持量を規制して他方の現像剤担持体上に磁性トナーの層を形成する位置に配置され、
前記一方の現像剤担持体において前記現像剤規制体によって磁性トナーの担持量が規制される部分を規制部とし、それぞれの現像剤担持体が担持している磁性トナーを前記静電潜像担持体に供給する部分をそれぞれの現像領域としたときに、現像時には、前記一方の現像剤担持体の現像スリーブは、前記対向部から前記規制部を経て現像領域に向かう方向に回転し、前記他方の現像剤担持体の現像スリーブは、前記対向部において前記一方の現像剤担持体の現像スリーブに対して逆方向に移動する方向に回転し、
前記磁性トナーは、結着樹脂と磁性体とを含有し、凝集度が６０以下であり、平均円形度が０．９５５以上であることを特徴とする画像形成装置。
【請求項２】
前記現像剤規制体は、磁性を有する部材から構成され、前記一方の現像剤担持体に接触しない位置に配置されることを特徴とする請求項１に記載の画像形成装置。
【請求項３】
前記現像剤規制体は、弾性を有する部材から構成され、前記一方の現像剤担持体に接触する位置に配置されることを特徴とする請求項１に記載の画像形成装置。
【請求項４】
前記他方の現像剤担持体から前記一方の現像剤担持体に向けて磁束密度が高まる領域が、前記他方の現像剤担持体の現像スリーブの回転方向において、前記対向部よりも上流側に
形成されることを特徴とする請求項１〜３のいずれか一項に記載の画像形成装置。
【請求項５】
静電潜像を担持する静電潜像担持体と、この静電潜像担持体に磁性トナーを供給して前記静電潜像を現像する現像装置とを有するプロセスカートリッジにおいて、
前記現像装置は、磁性トナーを収容する現像容器と、現像容器の開口部に設けられ表面に磁性トナーを担持し静電潜像担持体に供給可能な二つの現像剤担持体と、一方の現像剤担持体の磁性トナーの担持量を規制して一方の現像剤担持体上に磁性トナーの層を形成する現像剤規制体と、を有し、
前記二つの現像剤担持体は、回転自在な現像スリーブと、この現像スリーブの円筒内側に固定して配置され複数の磁界を形成する磁界発生手段とをそれぞれ有し、二つの現像剤担持体の間に、他方の現像剤担持体から一方の現像剤担持体に向けて磁束密度が高まる領域が形成され、かつ前記二つの現像剤担持体の対向部において、前記一方の現像剤担持体が前記他方の現像剤担持体の磁性トナーの担持量を規制して他方の現像剤担持体上に磁性トナーの層を形成する位置に配置され、
前記一方の現像剤担持体において前記現像剤規制体によって磁性トナーの担持量が規制される部分を規制部とし、それぞれの現像剤担持体が担持している磁性トナーを前記静電潜像担持体に供給する部分をそれぞれの現像領域としたときに、現像時には、前記一方の現像剤担持体の現像スリーブは、前記対向部から前記規制部を経て現像領域に向かう方向に回転し、前記他方の現像剤担持体の現像スリーブは、前記対向部において前記一方の現像剤担持体の現像スリーブに対して逆方向に移動する方向に回転し、
前記磁性トナーは、結着樹脂と磁性体とを含有し、凝集度が６０以下であり、平均円形度が０．９５５以上であり、
前記静電潜像担持体及び前記現像装置を少なくとも一体的に有し、かつ
画像形成装置本体に対して着脱自在に構成されていることを特徴とするプロセスカートリッジ。
【請求項６】
前記現像剤規制体は、磁性を有する部材から構成され、前記一方の現像剤担持体に接触しない位置に配置されることを特徴とする請求項５に記載のプロセスカートリッジ。
【請求項７】
前記現像剤規制体は、弾性を有する部材から構成され、前記一方の現像剤担持体に接触する位置に配置されることを特徴とする請求項５に記載のプロセスカートリッジ。
【請求項８】
前記他方の現像剤担持体から前記一方の現像剤担持体に向けて磁束密度が高まる領域が、前記他方の現像剤担持体の現像スリーブの回転方向において、前記対向部よりも上流側に形成されることを特徴とする請求項５〜７のいずれか一項に記載のプロセスカートリッジ。
【請求項９】
静電潜像を担持する静電潜像担持体と、この静電潜像担持体に磁性トナーを供給して前記静電潜像を現像する現像装置とを用いる画像形成方法において、
前記現像装置は、磁性トナーを収容する現像容器と、現像容器の開口部に設けられ表面に磁性トナーを担持し静電潜像担持体に供給可能な二つの現像剤担持体と、一方の現像剤担持体の磁性トナーの担持量を規制して一方の現像剤担持体上に磁性トナーの層を形成する現像剤規制体とを有し、
前記二つの現像剤担持体は、回転自在な現像スリーブと、この現像スリーブの円筒内側に固定して配置され複数の磁界を形成する磁界発生手段とをそれぞれ有し、二つの現像剤担持体の間に、他方の現像剤担持体から一方の現像剤担持体に向けて磁束密度が高まる領域が形成され、かつ前記二つの現像剤担持体の対向部において、前記一方の現像剤担持体が前記他方の現像剤担持体の磁性トナーの量を規制して他方の現像剤担持体上に磁性トナーの層を形成する位置に配置され、
前記一方の現像剤担持体は、前記他方の現像剤担持体から帯電不足の磁性トナーを磁気力
によって奪取し、これを現像剤規制体の規制によって摩擦帯電させ、かつ磁性トナーの層を形成し、一方の現像剤担持体の現像領域に磁性トナーを搬送し、前記他方の現像剤担持体は、現像容器に収容されている磁性トナーを担持し、前記一方の現像剤担持体による規制によって磁性トナーの層を形成し、他方の現像剤担持体の現像領域に磁性トナーを搬送することを特徴とする画像形成方法。
【請求項１０】
静電潜像を担持する静電潜像担持体に磁性トナーを供給して前記静電潜像を現像する現像装置を用いる現像方法において、
前記現像装置は、磁性トナーを収容する現像容器と、現像容器の開口部に設けられ表面に磁性トナーを担持し静電潜像担持体に供給可能な二つの現像剤担持体と、一方の現像剤担持体の磁性トナーの担持量を規制して一方の現像剤担持体上に磁性トナーの層を形成する現像剤規制体とを有し、
前記二つの現像剤担持体は、回転自在な現像スリーブと、この現像スリーブの円筒内側に固定して配置され複数の磁界を形成する磁界発生手段とをそれぞれ有し、二つの現像剤担持体の間に、他方の現像剤担持体から一方の現像剤担持体に向けて磁束密度が高まる領域が形成され、かつ前記二つの現像剤担持体の対向部において、前記一方の現像剤担持体が前記他方の現像剤担持体の磁性トナーの量を規制して他方の現像剤担持体上に磁性トナーの層を形成する位置に配置され、
前記一方の現像剤担持体は、前記他方の現像剤担持体から帯電不足の磁性トナーを磁気力によって奪取し、これを現像剤規制体の規制によって摩擦帯電させ、かつ磁性トナーの層を形成し、一方の現像剤担持体の現像領域に磁性トナーを搬送し、前記他方の現像剤担持体は、現像容器に収容されている磁性トナーを担持し、前記一方の現像剤担持体の接触によって磁性トナーの層を形成し、他方の現像剤担持体の現像領域に磁性トナーを搬送することを特徴とする現像方法。
【手続補正２】
【補正対象書類名】明細書
【補正対象項目名】００４０
【補正方法】変更
【補正の内容】
【００４０】
好ましく用いられるワックスとしては、オレフィンを高圧下でラジカル重合したポリオレフィン；高分子ポリオレフィン重合時に得られる低分子副生成物を精製したポリオレフィン；低圧下でチーグラー触媒、メタロセン触媒の如き触媒を用いて重合したポリオレフィン；放射熱、電磁波又は光を利用して重合したポリオレフィン；高分子ポリオレフィンを熱分解して得られる低分子ポリオレフィン；パラフィンワックス；マイクロクリスタリンワックス、フィッシャートロプシュワックス；ジンドール法、ヒドロコール法、アーゲ法等により合成される合成炭化水素ワックス；炭素数一個の化合物をモノマーとする合成ワックス、水素基又はカルボキシル基のごとき官能基を有する炭化水素系ワックス；炭化水素系ワックスと官能基を有するワックスとの混合物；これらのワックスを母体としてスチレン、マレイン酸エステル、アクリレート、メタクリレート、無水マレイン酸の如きビニルモノマーをグラフト変性したワックスが挙げられる。